(57)【特許請求の範囲】
【請求項１】
土木工事によって壁面構造物を構築するために上下方向に積み重ねられるようになった直方体状の壁面構築用ブロックであって、発泡樹脂によって上面および下面が水平であって、各側面がそれぞれ垂直になっており、上部における長手方向に沿った一方の側部が切欠されることにより、長手方向に全体に沿った段部が形成されており、この段部が上面とは垂直面を介して連続しており、段部における幅方向の中央部には、上方に突出した突出部が長手方向の全体にわたって設けられた直方体状に構成されたブロック本体と、このブロック本体とともに直方体を構成するように、ブロック本体における切欠された部分に対応した形状になっており、ブロック本体の長手方向の長さと等しい長さを有する直方体状に構成されており、下部における幅方向の中央部には、長手方向に沿って延びる嵌合溝が長手方向の全体にわたって設けられており、この嵌合溝はブロック本体の段部に設けられた突出部に一体的に嵌合されて、上面および一方の側面がブロック本体の上面および一方の側面と面一になっており、壁面を構成するパネルを支持するビス等が結合されるようになったパネル支持部材と、を具備することを特徴とする壁面構築用ブロック。
【請求項２】
請求項１に記載の複数の壁面構築用ブロックが、ブロック本体およびパネル支持部材の相互に面一になった側面にて垂直面を形成するように上下方向に積み重ねられており、各壁面構築用ブロックのパネル支持部材に、壁面パネルを吊り下げた状態で支持するビス等が結合されることを特徴とする壁面構造物。
【発明の詳細な説明】
【０００１】
【発明の属する技術分野】
本発明は、土木工事によって、壁面構造物を構築するために使用される発泡ポリスチレン等の軽量の発泡樹脂を主体とする壁面構築用ブロック、および、その壁面構築用ブロックを使用して構築される壁面構造物に関する。
【０００２】
【従来の技術】
近時、各種土木工事にて構造物等を構築する際に、発泡ポリスチレン等の軽量の発泡樹脂ブロックが使用されるようになっている。この発泡樹脂ブロックは、通常、直方体状に成形されており、例えば、盛土の替わりに使用されて、各種構造物が構築される。
【０００３】
発泡樹脂ブロックを使用して壁面構造物を構築する場合には、例えば、まず、地盤上に基礎コンクリートを設けて、基礎コンクリート上に複数の支柱が水平方向に適当な間隔をあけて垂直に配置される。各支柱は、倒れないようにアンカー部材等によって固定される。その後、隣接する支柱間に、各支柱にて左右の各側部が上下方向にスライド可能に支持された複数の壁面パネルが上下方向に積み重ねられて、垂直な壁面が構築される。このようにして垂直な壁面が構築されると、その壁面と山の斜面との間に発泡樹脂ブロックが積み重ねられる。
【０００４】
このように、壁面を構築した後に、発泡樹脂ブロックを積み重ねる工法では、壁面を構築するために、各支柱を垂直に固定するために重機等が必要になり、支柱の固定、壁面パネル積み重ね等の作業が煩わしいという問題がある。
【０００５】
このような問題を解決するめたに、例えば、実用新案登録公報第２５０５９９７号には、発泡樹脂ブロックの一端部に枠体を嵌合して、枠体の複数箇所を複数のビスによって発泡樹脂ブロックに固定し、固定された枠体に、壁面パネルをビス等によって取り付ける構成が開示されている。このように、発泡樹脂ブロックに枠体を取り付けて、その枠体に壁面パネルを取り付ける構成では、支柱の固定等が不要になり、作業性が向上する。
【０００６】
【発明が解決しようとする課題】
しかしながら、この場合には、枠体を発泡樹脂ブロックに固定するために、枠体の複数箇所を複数のビス等によって固定し、さらに、固定された枠体に、壁面を構成するパネルをビス等によって固定しなければならず、その作業が煩わしいという問題がある。
【０００７】
本発明は、このような問題を解決するものであり、その目的は、壁面構造物を効率よく構築することができる壁面構築用ブロックを提供することにある。本発明の他の目的は、このような壁面構築用ブロックを使用して、作業効率よく構築することができる壁面構造物を提供することにある。
【０００８】
【課題を解決するための手段】
本発明の請求項１に記載の壁面構築用ブロックは、土木工事によって壁面構造物を構築するために上下方向に積み重ねられるようになった直方体状の壁面構築用ブロックであって、発泡樹脂によって上面および下面が水平であって、各側面がそれぞれ垂直になっており、上部における長手方向に沿った一方の側部が切欠されることにより、長手方向に全体に沿った段部が形成されており、この段部が上面とは垂直面を介して連続しており、段部における幅方向の中央部には、上方に突出した突出部が長手方向の全体にわたって設けられた直方体状に構成されたブロック本体と、このブロック本体とともに直方体を構成するように、ブロック本体における切欠された部分に対応した形状になっており、ブロック本体の長手方向の長さと等しい長さを有する直方体状に構成されており、下部における幅方向の中央部には、長手方向に沿って延びる嵌合溝が長手方向の全体にわたって設けられており、この嵌合溝はブロック本体の段部に設けられた突出部に一体的に嵌合されて、上面および一方の側面がブロック本体の上面および一方の側面と面一になっており、壁面を構成するパネルを支持するビス等が結合されるようになったパネル支持部材と、を具備することを特徴とする。
【０００９】
本発明の請求項２に記載の壁面構造物は、請求項１に記載の複数の壁面構築用ブロックが、ブロック本体およびパネル支持部材の相互に面一になった側面にて垂直面を形成するように上下方向に積み重ねられており、各壁面構築用ブロックのパネル支持部材に、壁面パネルを吊り下げた状態で支持するビス等が結合されることを特徴とする。
【００１０】
【発明の実施の形態】
以下、本発明の実施の形態を、図面に基づいて詳細に説明する。
【００１１】
図１は、本発明の壁面構築用ブロックおよび発泡樹脂ブロックを使用して構築される壁面構造物の実施の形態の一例を示す斜視図である。この壁面構造物は、例えば、山の斜面における切土された部分に、直方体に構成された多数の発泡樹脂ブロック２０および直方体に構成された本発明の壁面構築用ブロック１０が、上面が平坦になるように、上下方向に積み重ねられて、積み重ねられた発泡樹脂ブロック２０および壁面構築用ブロック１０上に、例えば、コンクリート床版が設けられて道路が構築される。
【００１２】
壁面構築用ブロック１０は、山の斜面の遠方側にて、１つの垂直面を形成するように積み重ねられており、その垂直面を構成する各壁面構築用ブロック１０の側面に、壁面を構成する壁面パネル３１が、それぞれ吊り下げられた状態で取り付けられている。
【００１３】
発泡樹脂ブロック２０は、例えば、ポリスチレン、ポリエチレン、ポリプロピレン等を型内ビーズ発泡成形または押出発泡成形によって、平板状の直方体に形成されており、従って、発泡樹脂ブロック２０は、上面および下面がそれぞれ水平に構成されるとともに、４つの各側面がそれぞれ垂直に構成されている。
【００１４】
図２は、本発明の壁面構築用ブロック１０の実施の形態の一例を示す斜視図である。この壁面構築用ブロック１０は、例えば、発泡ポリスチレンによって、上面１１ａおよび下面１１ｂがそれぞれ水平であるとともに、長手方向に沿った各側面１１ｃおよび１１ｄと各端面１１ｅおよび１１ｆがそれぞれ垂直であって、直方体における上部の一方の側部が切欠された形状になったブロック本体１１と、このブロック本体１１とともに直方体を形成するように、ブロック本体１１における切欠された部分に嵌合された状態で一体化されたパネル支持部材１２とを有している。
【００１５】
ブロック本体１１は、上部における長手方向に沿った一方の側部が切欠されることにより、長手方向の全体に沿った段部１１ｇが形成されており、この段部１１ｇが、ブロック本体１１の上面１１ａとは、垂直面１１ｋを介して連続している。段部１１ｇにおける幅方向の中央部には、上方に突出した突出部１１ｈが長手方向の全体にわたって設けられている。この突出部１１ｈの上面は、ブロック本体１１の上面よりも下方にて水平に形成されており、長手方向に沿った各側面は垂直になっている。
【００１６】
パネル支持部材１２は、ブロック本体１１とともに直方体を形成するように、ブロック本体１１の上部における一方の側部の切欠された部分に対応した形状になっており、ブロック本体１１の長手方向の長さと等しい長さを有する直方体状に構成されている。パネル支持部材１２の下部における幅方向中央部には、長手方向に沿って延びる嵌合溝１２ａが長手方向の全体にわたって設けられている。この嵌合溝１２ａは、ブロック本体１１の段部１１ｇに設けられた突出部１１ｈに嵌合するように、内奥面が水平であって各側面が垂直な断面四角形状になっている。
【００１７】
パネル支持部材１２は、嵌合溝１２ａが、ブロック本体１１の段部１１ａに設けられた突出部１１ｈに嵌合されると、その下面１２ｂが、段部１１ａに密着するとともに、長手方向に沿った一方の側面１２ｃが、ブロック本体１１の段部１１ｇと上面１１ａとの間の垂直面１１ｋに密着する。そして、パネル支持部材１２の上面１２ｄがブロック本体１１の上面１１ａと面一になるとともに、パネル支持部材１２の長手方向の他方の側面１２ｅが、ブロック本体１１における段部１１ｇに連続する長手方向に沿った側面１１ｄと面一になる。また、パネル支持部材１２の各端面１２ｆおよび１２ｇは、ブロック本体１１の各端面１１ｅおよび１１ｆとそれぞれ面一になっており、ブロック本体１１とパネル支持部材１２とが直方体に構成されている。
【００１８】
パネル支持部材１２は、例えば、全体が適当な硬度を有するプラスチックによって構成されており、ブロック本体１１が所定の形状に成形された後の加工によって、ブロック本体１１と一体化されている。
【００１９】
このような構成の壁面構築用ブロック１０は、相互に面一になったブロック本体１１の側面１１ｄとパネル支持部材１２の側面１２ｅとが露出するように、水平方向に沿って上下方向に積み重ねられる。そして、各壁面構築用ブロック１０における露出したパネル支持部材１２の側面１２ｅに、壁面パネル３１が突き合わされて、各壁面構築用ブロック１０の上部に設けられたパネル支持部材１２に沿って、複数のドリルビス３２が、水平方向に一定の間隔をあけて、壁面パネル３１にねじ込まれる。壁面パネル３１にねじ込まれる各ドリルビス３２は、壁面パネル３１を貫通して、各壁面構築用ブロック１０に設けられたパネル支持部材１２にねじ込まれることによってパネル支持部材１２にねじ結合される。これにより、各壁面パネル３１は、各壁面構築用ブロック１０に対して、垂直状態に吊り下げられた状態で支持される。
【００２０】
このようにして、垂直面を構成する全ての各壁面構築用ブロック１０に、壁面パネル３１が取り付けられると、各壁面構築用ブロック１０の側面は、壁面パネル３１にてそれぞれ覆われた状態になり、各壁面パネル３１にて壁面が構築される。
【００２１】
各壁面パネル３１は、相互に面一になったブロック本体１１の側面１１ｄとパネル支持部材１２の側面１２ｅとによって構成された各壁面構築用ブロック１０の側面と同様の大きさの長方形の平板状をしており、押出セメント板、石綿板、合板、キーストンプレート、スレート板、フェノール樹脂板等によって構成されている。
【００２２】
なお、壁面構築用ブロック１０に設けられたパネル支持部材１２は、壁面パネル３１を支持するためのドリルビス３２がねじ込まれてパネル支持部材１２に結合される構成に限らず、例えば、各パネル支持部材１２に、予めビスがネジ結合されるネジ孔を設けて、そのネジ孔にドリルビス３２をねじ込んでねじ結合ルさせる構成であってもよい。
【００２３】
【発明の効果】
本発明の壁面構築用ブロックは、ブロック本体における上部における一方の側部に、壁面パネルを支持することができるパネル支持部材が設けられているために、壁面パネルを直接パネル支持部材に取り付けることができ、壁面構造物を作業効率よく、構築することができる。
【図面の簡単な説明】
【図１】本発明の壁面構築用ブロックを使用して構築される壁面構造物の実施の形態の一例を示す要部の斜視図である。
【図２】その壁面構造物に使用される壁面構築用ブロックの斜視図である。
【符号の説明】
１０  壁面構築用ブロック
１１  ブロック本体
１１ａ  上面
１１ｂ  下面
１１ｃ  側面
１１ｄ  側面
１１ｅ  端面
１１ｆ  端面
１１ｇ  段部
１１ｈ  突出部
１２  パネル支持部材
１２ａ  凹部
１２ｂ  下面
１２ｃ  側面
１２ｄ  上面
１２ｅ  側面
１２ｆ  端面
１２ｇ  端面
２０  発泡樹脂ブロック
３１  壁面パネル
３２  ドリルビス
【図１】
0003709274.tif 000002
【図２】
0003709274.tif 000003